(57)【要約】      （修正有）【課題】ヘッドマウントディスプレイの使い勝手を向上する。【解決手段】１つの態様において、ヘッドマウントディスプレイは、表示部と、通信部と、外部から取得するデータに基づいて、第１アプリケーションを実行する制御部とを備える。制御部は、第１アプリケーションの実行中に、通信部を介して非常事態に関する情報を受信すると、表示部に情報を表示させない無表示状態を経由して、避難用の情報を表示部に表示させる第２アプリケーションを実行する。制御部は、第１アプリケーションの実行中に、通信部を介して非常事態に関する情報を受信すると、当該第１アプリケーションに関連しない所定画面を表示部に表示する状態を経由して、避難用の情報を表示部に表示させる第２アプリケーションを実行する。【選択図】図７
2017181584.tif 000002
【特許請求の範囲】
【請求項１】
ヘッドマウントディスプレイであって、
表示部と、
通信部と、
外部から取得するデータに基づいて、第１アプリケーションを実行する制御部と
を備え、
前記制御部は、前記第１アプリケーションの実行中に、前記通信部を介して非常事態に関する情報を受信すると、前記表示部に情報を表示させない無表示状態を経由して、避難用の情報を前記表示部に表示させる第２アプリケーションを実行するヘッドマウントディスプレイ。
【請求項２】
ヘッドマウントディスプレイであって、
表示部と、
通信部と、
外部から取得するデータに基づいて、第１アプリケーションを実行する制御部と
を備え、
前記制御部は、前記第１アプリケーションの実行中に、前記通信部を介して非常事態に関する情報を受信すると、当該第１アプリケーションに関連しない所定画面を前記表示部に表示する状態を経由して、避難用の情報を前記表示部に表示させる第２アプリケーションを実行するヘッドマウントディスプレイ。
【請求項３】
前記制御部が実行する第２アプリケーションは、前記非常事態に関する情報を受信してから前記避難用の情報を前記表示部に表示させるまでの間の所定タイミングで、前記ヘッドマウントディスプレイの取り外しを抑制する旨の情報を前記表示部に表示させる処理を含む請求項１又は２に記載のヘッドマウントディスプレイ。
【請求項４】
カートリッジを接続可能なインタフェース部をさらに備え、
前記制御部が実行する前記第１アプリケーションは、
前記カートリッジが前記インタフェース部に接続されると、前記カートリッジから前記データを取得し、当該データに基づく処理を実行するための機能を含み、
前記制御部が実行する前記第２アプリケーションは、
前記第１アプリケーションの実行中に、非常事態に関する情報を受信すると、外部に対する所定の報知を前記カートリッジに行わせる処理を実行するための機能を含む請求項１又は２に記載のヘッドマウントディスプレイ。
【発明の詳細な説明】
【技術分野】
【０００１】
本出願は、ヘッドマウントディスプレイに関する。
【背景技術】
【０００２】
従来、頭部装着型の表示装置がある。
【先行技術文献】
【特許文献】
【０００３】
【特許文献１】特開２０１２−２３１２５９号公報
【発明の概要】
【発明が解決しようとする課題】
【０００４】
上記表示装置は、さらなる使い勝手の向上が望まれている。
【課題を解決するための手段】
【０００５】
１つの態様に係るヘッドマウントディスプレイは、表示部と、通信部と、外部から取得するデータに基づいて、第１アプリケーションを実行する制御部とを備え、前記制御部は、前記第１アプリケーションの実行中に、前記通信部を介して非常事態に関する情報を受信すると、前記表示部に情報を表示させない無表示状態を経由して、避難用の情報を前記表示部に表示させる第２アプリケーションを実行する。
【図面の簡単な説明】
【０００６】
【図１】図１は、実施形態に係るヘッドマウントディスプレイの外観の概略構成を示す図である。
【図２】図２は、実施形態に係るインタフェース部の設置位置の例を示す図である。
【図３】図３は、実施形態に係るインタフェース部の設置位置の例を示す図である。
【図４】図４は、実施形態に係るインタフェース部の開口方向の例を示す図である。
【図５】図５は、実施形態に係るインタフェース部の設置位置及び開口方向の他の例を示す図である。
【図６】図６は、実施形態に係るインタフェース部の設置位置及び開口方向の他の例を示す図である。
【図７】図７は、実施形態に係るヘッドマウントディスプレイの機能構成の例を示すブロック図である。
【図８】図８は、実施形態に係る制御部の処理の例を示す図である。
【図９】図９は、実施形態に係るヘッドマウントディスプレイによる処理の例を示すフローチャートである。
【図１０】図１０は、他の実施形態に係る制御部の処理の例を示す図である。
【図１１】図１１は、他の実施形態に係るヘッドマウントディスプレイによる処理の例を示すフローチャートである。
【発明を実施するための形態】
【０００７】
本出願に係るヘッドマウントディスプレイの実施形態を、図面を参照しつつ詳細に説明する。本出願に係るヘッドマウントディスプレイの利用者は、例えば、カートリッジをヘッドマウントディスプレイに接続して、カートリッジから特定のコンテンツをヘッドマウントディスプレイに読み込ませることにより、ヘッドマウントディスプレイを介して、種々のサービスの提供を受けることができる。ヘッドマウントディスプレイに接続可能なカートリッジは、ビジネスパーク、ショッピングセンター、ファッションビル、公園、アミューズメント施設、ハイテクパーク、住居用施設など、屋外、屋内を問わず、ヘッドマウントディスプレイを介してサービスを提供可能な種々の施設などから提供されてよい。
【０００８】
図１は、実施形態に係るヘッドマウントディスプレイの外観の概略構成を示す図である。図１に示すように、ヘッドマウントディスプレイ１は、眼鏡型の形状を有し、フロント部１ａ、蔓部１ｂ、蔓部１ｃ、及び支持部１ｄを備える。図１に示すヘッドマウントディスプレイ１の形状は一例に過ぎず、頭部装着型のウェアラブル端末としての機能を実現できれば、図１に示す形状には限定されない。
【０００９】
フロント部１ａは、表示部２ａ及び表示部２ｂの外周部の少なくとも一部を取り囲むように形成されている。フロント部１ａは、ヘッドマウントディスプレイ１の利用者がヘッドマウントディスプレイ１を装着したときに、利用者の眼前に配置される部分となる。支持部１ｄは、１対（図示せず）からなり、ヘッドマウントディスプレイ１の利用者がヘッドマウントディスプレイ１を装着したときに、利用者の鼻を挟み込むようにして接する。支持部１ｄは、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１０】
フロント部１ａには、撮像部３、撮像部４、検出部５、及び操作部６なども設置される。図１に示すフロント部１ａに設置される各部は一例に過ぎず、図１に示す例に限定されるものではない。
【００１１】
蔓部１ｂ及び蔓部１ｃは、同様の棒状の形状で形成される。蔓部１ｂ及び蔓部１ｃは、ヘッドマウントディスプレイ１の利用者がヘッドマウントディスプレイ１を装着したときに、利用者の側頭部に沿ってそれぞれ配置される部分となる。蔓部１ｂの一方の端部、及び蔓部１ｃの一方の端部は、それぞれ、ヒンジ（図示せず）を介して折り畳み自在にフロント部１ａに接続される部位となる。蔓部１ｂの他方の端部、及び蔓部１ｃの他方の端部は、それぞれ、ヘッドマウントディスプレイ１の利用者がヘッドマウントディスプレイ１を装着したときに、利用者の耳にあてがわれる部位となる。蔓部１ｂ及び蔓部１ｃも、支持部１ｄと同様に、ヘッドマウントディスプレイ１が利用者に装着されたとき、利用者の顔を重力方向にずれ落ちることなく、装着姿勢をできるだけ保った状態で支持されることに寄与する。
【００１２】
以下、図２から図６を用いて、ヘッドマウントディスプレイが備えるインタフェース部の設置位置及び開口方向の例を説明する。図２及び図３は、実施形態に係るインタフェース部の設置位置の例を示す図である。図４は、実施形態に係るインタフェース部の開口方向の例を示す図である。図５及び図６は、実施形態に係るインタフェース部の設置位置及び開口方向の他の例を示す図である。図２から図６には具体的に示していないが、ヘッドマウントディスプレイ１は、カートリッジ１０００を接続するためのインタフェース部を備える。
【００１３】
図２に示すように、ヘッドマウントディスプレイ１は、蔓部１ｂの端部のうちフロント部１ａに接続されていない端部付近１ｂ−１、及び蔓部１ｃの端部のうちフロント部１ａに接続されていない端部付近１ｃ−１に、インタフェース部をそれぞれ設置することができる。あるいは、図３に示すように、ヘッドマウントディスプレイ１は、蔓部１ｂの中央付近１ｂ−２及び蔓部１ｃの中央付近１ｃ−２にインタフェース部をそれぞれ設置することもできる。ヘッドマウントディスプレイ１は、例えば、フロント部１ａが、撮像部３、撮像部４、検出部５、及び操作部６などを備えることにより、蔓部１ｂ、１ｃに比べて重たい場合に、蔓部１ｂ（又は蔓部１ｃ）にカートリッジ１０００を接続させることで、当該蔓部１ｂ（又は１ｃ）の重さをフロント部１ａの重さに近づけることができ、装着感を向上させることができる。
【００１４】
また、インタフェース部を蔓部１ｂ及び蔓部１ｃに設置する場合、インタフェース部は、ヘッドマウントディスプレイ１の利用者Ｕ１（図４参照）に当該ヘッドマウントディスプレイ１が装着された状態であるときに鉛直方向下向きに開口している。このような構成により、ヘッドマウントディスプレイ１は、インタフェース部が有する開口部（外部に開口した部分）から粉塵等が入り込むことを防止できる。
【００１５】
図４を用いて、インタフェース部が開口している方向について説明する。図４に示す座標軸のｘ１軸、ｙ１軸、及びｚ１軸はそれぞれが互いに直交しているものとする。図４に示す例において、ヘッドマウントディスプレイ１のフロント部１ａの長手方向は、図４に示す座標軸のｘ１軸方向に平行な方向と一致しているものとする。インタフェース部は、カートリッジ１０００をヘッドマウントディスプレイ１に挿入して接続することが可能な向きに開口している。図４に示す例では、同図には明示されていないが、インタフェース部が、例えば、鉛直方向下向きの方向、すなわち、ｙ１軸の負の方向に平行な方向に開口されている。
【００１６】
ヘッドマウントディスプレイ１は、図２及び図３に示すように、蔓部１ｂ及び蔓部１ｃにインタフェース部をそれぞれ設置してもよいし、蔓部１ｂ及び蔓部１ｃのいずれか一方に設置してもよい。
【００１７】
図５を用いて、インタフェース部の設置位置及び開口方向の他の例を説明する。図５に示す座標軸のｘ２軸、ｙ２軸、及びｚ２軸はそれぞれが互いに直交しているものとする。図５に示す例において、ヘッドマウントディスプレイ１のフロント部１ａの長手方向は、図５に示す座標軸のｘ２軸方向に平行な方向と一致しているものとする。図５に示すように、ヘッドマウントディスプレイ１は、蔓部１ｃを完全に開いた状態のときに当該蔓部１ｃがフロント部１ａに対して接する位置である当該蔓部１ｃの合口部１ｃ−ｘにインタフェース部を設置することもできる。インタフェース部は、カートリッジ１０００を挿入して接続可能な状態で開口している。図５に示す例では、インタフェース部が、図５に示す座標軸のｚ２軸の正の方向に平行な方向に向かって開口している状態を示している。このような構成により、ヘッドマウントディスプレイ１は、蔓部１ｃを完全に開いた状態のときに、インタフェース部の開口部がフロント部１ａにより塞がれるため、カートリッジ１０００を外部の衝撃などから保護することができる。
【００１８】
また、図５に示す例において、ヘッドマウントディスプレイ１は、蔓部１ｂ（又は蔓部１ｃ）における、当該蔓部１ｂ（又は蔓部１ｃ）の長手方向に開口されている開口部を有するものとして規定されてもよい。
【００１９】
図６を用いて、インタフェース部の設置位置及び開口方向の他の例を説明する。図６に示す座標軸のｘ３軸、ｙ３軸、及びｚ３軸はそれぞれが互いに直交しているものとする。図６に示す例において、ヘッドマウントディスプレイ１のフロント部１ａの長手方向は、図６に示す座標軸のｘ３軸方向に平行な方向と一致しているものとする。図６に示すように、ヘッドマウントディスプレイ１は、フロント部１ａにおける利用者の顔面に対面する領域１ａ−１にインタフェース部を設置することもできる。インタフェース部は、カートリッジ１０００を挿入して接続可能な状態で開口している。図６に示す例では、インタフェース部が、図６に示す座標軸のｚ３軸の正の方向に平行な方向に向かって開口している状態を示している。このような構成により、ヘッドマウントディスプレイ１は、カートリッジ１０００がインタフェース部に接続された状態で、当該カートリッジ１０００を外部の衝撃などから保護することができる。
【００２０】
図７は、実施形態に係るヘッドマウントディスプレイの機能構成の例を示すブロック図である。図７に示すように、ヘッドマウントディスプレイ１は、表示部２ａ、表示部２ｂ、撮像部３、撮像部４、検出部５、操作部６、通信部７、記憶部８、制御部９、インタフェース部１０を備えて構成される。
【００２１】
表示部２ａ及び表示部２ｂは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどの半透過または透過の表示デバイスを有することができる。表示部２ａ及び表示部２ｂは、制御部９から入力される制御信号に従って各種の情報を表示する。表示部２ａ及び表示部２ｂは、レーザ光線等の光源を用いて利用者の網膜に画像を投影する投影装置であってもよい。
【００２２】
撮像部３及び撮像部４は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて電子的に画像を撮像する。撮像部３及び４は、撮像した画像を信号に変換して制御部９へ出力する。撮像部３は、例えば、ヘッドマウントディスプレイ１を装着した利用者の前景を撮影するアウトカメラである。撮像部４は、例えば、ヘッドマウントディスプレイ１を装着した利用者を撮影するインカメラである。
【００２３】
検出部５は、種々の検出を実行する。検出部５は、可視光、赤外線、紫外線、電波、音波、磁気、静電容量の少なくとも１つを用いて、検出対象、及び検出対象の状態変化などを検出できる。検出対象は、静止物、移動物、生物、及び非生物を含む。実施形態において、検出部５は、ヘッドマウントディスプレイ１がヘッドマウントディスプレイ１の利用者により装着されている状態であるかを判定するための情報の検出も実行できる。検出部５は、ヘッドマウントディスプレイ１がヘッドマウントディスプレイ１の利用者により装着されている状態であるかを判定するための情報を制御部９へ出力する。
【００２４】
操作部６は、ヘッドマウントディスプレイ１の起動、停止、動作設定を含む各種設定の変更などの操作入力を利用者から受け付ける。操作部６は、利用者から受け付けた操作入力を信号に変換して制御部９へ出力する。
【００２５】
通信部７は、他の装置との間で通信できる。通信部７は、例えば、通信ネットワーク５０を介し、所定の通信プロトコルを用いて、施設内に設置される施設サーバ１００などとの間でやり取りされる各種情報を送受信できる。通信部７は、近距離無線の通信規格の１つ又は複数をサポートできる。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。
【００２６】
記憶部８は、プログラム及びデータを記憶する。記憶部８に記憶されるプログラムには第１アプリケーション８０、及び第２アプリケーション８１が含まれる。記憶部８に記憶されるデータには制御用データ８２、避難表示用データ８３、カートリッジデータ８４、及び施設サーバデータ８５が含まれる。
【００２７】
記憶部８は、制御部９の処理結果を一時的に記憶する作業領域として利用されてもよい。記憶部８は、半導体記憶媒体、及び磁気記憶媒体等の任意の非一過的（ｎｏｎ−ｔｒａｎｓｉｔｏｒｙ）な記憶媒体で構成されてよい。記憶部８は、複数の種類の記憶媒体を含んでよい。記憶部８は、メモリカード、光ディスク、又は光磁気ディスク等の記憶媒体と、記憶媒体の読み取り装置との組み合わせを含んでよい。記憶部８は、ＲＡＭ（Ｒａｎｄｏｍ  Ａｃｃｅｓｓ  Ｍｅｍｏｒｙ）などの一時的な記憶領域として利用される記憶装置を含んでよい。記憶部８に記憶されるプログラムには、アプリケーションの動作を支援するプログラム（図示略）が含まれてよい。記憶部８に記憶されるプログラム、アプリケーション及びデータは、無線通信あるいは有線通信によって施設サーバ１００などの他の装置から取得されてよい。
【００２８】
第１アプリケーション８０は、ヘッドマウントディスプレイ１の各種制御に関する機能を提供する。第１アプリケーション８０は、外部から取得するデータに基づいて、第１アプリケーション８０を実行する機能を提供する。第１アプリケーション８０は、例えば、カートリッジ１０００がインタフェース部１０に接続されると、カートリッジ１０００からデータを取得し、当該データに基づく処理を実行する機能を提供する。第１アプリケーション８０が提供する機能には、上記機能の他、以下の機能が含まれる。第１アプリケーション８０が提供する機能には、例えば、ヘッドマウントディスプレイ１の利用者がヘッドマウントディスプレイ１を介して施設内に設置される設備及び機器などを利用するための機能、検出部５の検出結果に基づいてヘッドマウントディスプレイ１の各種制御を実行するための機能、表示部２ａ及び表示部２ｂの表示制御を実行するための機能、カートリッジ１０００のインタフェース部１０への接続を検出する機能が含まれる。なお、第１アプリケーション８０は、インタフェース部１０に接続されたカートリッジ１０００から取得されてよい。
【００２９】
第２アプリケーション８１は、第１アプリケーション８０の実行中に、通信部７を介して非常事態に関する情報の受信を契機として実行される。第２アプリケーション８１は、表示部２ａ及び表示部２ｂに情報を表示させない無表示状態を経由して、避難用の情報を表示部２ａ及び表示部２ｂに表示させる機能を提供する。非常事態に関する情報は、火災に関する通知、地震、津波などの速報通知などが含まれる。無表示状態には、表示部２ａ及び表示部２ｂに画像の表示がなく、ヘッドマウントディスプレイ１の利用者が表示部２ａ及び表示部２ｂを介して前景を視認できる状態、或いは表示部２ａ及び表示部２ｂがブラックアウトした状態を含んでよい。
【００３０】
第２アプリケーション８１が提供する機能には、非常事態に関する情報を受信してから避難用の情報を表示部２ａ及び表示部２ｂに表示させるまでの間の所定タイミングで、ヘッドマウントディスプレイ１の取り外しを抑制する旨の情報を表示部２ａ及び表示部２ｂに表示させる機能が含まれる。第２アプリケーション８１が提供する機能には、第１アプリケーションの実行中に、非常事態に関する情報を受信すると、外部に対する所定の報知をカートリッジ１０００に行わせる処理を実行するための機能が含まれる。外部に対する所定の報知は、カートリッジ１０００が備える発光部１００１を発光させることを含む。なお、第２アプリケーション８１は、インタフェース部１０に接続されたカートリッジ１０００から取得されてよい。
【００３１】
制御用データ８２は、第１アプリケーション８０により提供される機能により実行されるヘッドマウントディスプレイ１の各種制御に用いられるデータである。
【００３２】
避難表示用データ８３は、第２アプリケーションが提供する機能による処理に用いられる。避難表示用データ８３は、避難勧告、フロアマップ、避難誘導などの情報を表示部２ａ及び表示部２ｂに表示させるためのデータを含む。避難勧告の情報は、発生した災害の内容及び避難指示などを含む。フロアマップは、利用者の現在位置、避難経路、非常口、災害発生箇所などの情報を含む。避難誘導の情報は、非常口へ向かうための進行方向を利用者に示すための情報を含む。
【００３３】
カートリッジデータ８４は、インタフェース部１０に接続されたカートリッジ１０００から取得されたデータである。カートリッジデータ８３は、第１アプリケーション参照用データなどを含む。第１アプリケーション参照用データは、第１アプリケーション８０により実行される処理において用いられる。例えば、アミューズメントパークである場合、第１アプリケーション参照用データは、第１アプリケーション８０が、アトラクションにおけるゲームの進行に応じて、動画像及び音声などのコンテンツをヘッドマウントディスプレイ１に出力するために用いられる。第１アプリケーション参照用データは、第１内に設置される設備及び機器それぞれに対応するアプリケーションを含むアプリケーションセットして構成される場合、各アプリケーションに対応するデータを含むデータセットとして構成されてよい。
【００３４】
施設サーバデータ８５は、施設サーバ１００から提供されるデータである。例えば、アミューズメントパークである場合、施設サーバデータ８５は、第１アプリケーション８０が、カートリッジ１０００から取得される以外のアミューズメントパークに関する各種情報をヘッドマウントディスプレイ１に表示させるために用いられる。
【００３５】
制御部９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んで構成されてよいが、これらを含んで構成される場合に限定されない。制御部９は、ヘッドマウントディスプレイ１の動作を統括的に制御して各種の機能を実現する。具体的には、制御部９は、記憶部８に記憶されている制御用データ８２を必要に応じて参照しつつ、記憶部８に記憶されている第１アプリケーション８０又は第２アプリケーション８１に含まれる命令を実行することにより、ヘッドマウントディスプレイ１の各種制御を実現する。
【００３６】
制御部９は、第１アプリケーション８０を実行することにより、例えば、カートリッジ１０００がインタフェース部１０に接続されると、カートリッジ１０００からデータを取得し、当該データに基づく処理を実行する。制御部９は、第２アプリケーション８１を実行することにより、第１アプリケーション８０の実行中に、通信部７を介して非常事態に関する情報を受信すると、表示部２ａ及び表示部２ｂに情報を表示させない無表示状態を経由して、避難用の情報を表示部２ａ及び表示部２ｂに表示させる処理を実行する。制御部９は、第２アプリケーション８１を実行することにより、非常事態に関する情報を受信してから避難用の情報を表示部２ａ及び表示部２ｂに表示させるまでの間の所定タイミングで、ヘッドマウントディスプレイ１の取り外しを抑制する旨の情報を表示部２ａ及び表示部２ｂに表示させる処理を実行する。制御部９は、第２アプリケーション８１を実行することにより、第１アプリケーションの実行中に非常事態に関する情報を受信すると、外部に対する所定の報知をカートリッジ１０００に行わせる処理を実行する。
【００３７】
インタフェース部１０は、カートリッジ１０００を接続可能な状態で開口している。インタフェース部１０は、カートリッジ１０００が接続されると、カートリッジが接続された旨を制御部９に通知するための接続検知信号を制御部９へ出力する。インタフェース部１０は、カートリッジ１０００からカートリッジ１０００に記憶されているデータを取得し、取得したデータを制御部９へ出力する。
【００３８】
カートリッジ１０００は、発光部１００１を有する。発光部１００１は、制御部９から送出される制御信号に従って発光する。
【００３９】
図８を用いて、制御部９により実行される処理の例を説明する。図８は、実施形態に係る制御部の処理の例を示す図である。図８は、ヘッドマウントディスプレイ１の利用者が、アミューズメントパークに設置されたアトラクションで遊戯中に火災が発生した場合の処理の例を示している。
【００４０】
図８に示すように、制御部９は、第１アプリケーション８０を実行することにより、カートリッジ１０００から取得したアトラクションのデータに基づいて、アトラクションに対応するゲーム画面ＳＣ１を表示部２ａ及び表示部２ｂに表示させる（ステップＳ１）。ゲーム画面ＳＣ１は、実施中のアトラクションに関連する複数の情報Ｇ１からＧ５の各々に対応する画像を含む。
【００４１】
制御部９は、第１アプリケーション８０の実行中、すなわち、アトラクションに対応するゲーム進行中に、非常事態に関する情報を受信すると、実行中の第１アプケーション８０を強制終了する旨のメッセージ画像Ｇ６を、ゲーム画面ＳＣ１に表示し（ステップＳ２）、実行中の第１アプケーション８０を強制終了する。
【００４２】
続いて、制御部９は、第２アプリケーションを実行し、表示部２ａ及び表示部２ｂに表示中のゲーム画面ＳＣ１を消去し、表示部２ａ及び表示部２ｂに情報を表示させない無表示状態を経由して（ステップＳ３）、避難用の情報を含む画面ＳＣ２を表示部２ａ及び表示部２ｂに表示させる（ステップＳ４）。ステップＳ３に示す例では、表示部２ａ及び表示部２ｂに表示中のゲーム画面ＳＣ１を消去し、表示部２ａ及び表示部２ｂに情報を表示させない無表示状態とした結果、表示部２ａ及び表示部２ｂを透過して、ヘッドマウントディスプレイ１の利用者の前景が視認可能な状態となっている様子を示している。ステップＳ４に示す例では、画面ＳＣ２に、発生した災害の内容及び避難指示を示す情報Ｅ１、利用者の現在位置からの避難経路を示す情報Ｅ４−１を含むフロアマップＥ４、及び避難誘導の情報Ｅ２及びＥ３がそれぞれ表示されている。
【００４３】
上記ステップＳ３及び上記ステップＳ４の処理において、制御部９は、表示部２ａ及び表示部２ｂに情報を表示させないステップＳ３に示す無表示状態を、一定時間継続させた後、ステップＳ４に示す画面ＳＣ２を表示部２ａ及び表示部２ｂに表示させる。無表示状態の継続時間は、利用者がアトラクションに集中しているヘッドマウントディスプレイ１の利用者の意識を、非常事態が発生した現実の世界に呼び戻すために十分と考えらえる時間であれば、任意の時間でよい。
【００４４】
制御部９は、避難用の情報を含む画面ＳＣ２を表示部２ａ及び表示部２ｂに表示させることに連動して、カートリッジ１０００が備える発光部１００１の点灯を開始する。カートリッジ１０００が備える発光部１００１を点灯させることにより、非常事態により停電もしくは周囲が暗い場合は、カートリッジ１０００が非常灯としての役割を果たす。
【００４５】
図９を用いて、実施形態に係るヘッドマウントディスプレイ１による処理の流れを説明する。図９は、実施形態に係るヘッドマウントディスプレイ１による処理の例を示すフローチャートである。
【００４６】
図９に示すように、ヘッドマウントディスプレイ１は、第１アプリケーション８０を実行中であるかを判定する（ステップＳ１０１）。
【００４７】
ヘッドマウントディスプレイ１は、判定の結果、第１アプリケーション８０を実行中ではない場合（ステップＳ１０１，Ｎｏ）、図９に示す処理を終了する。
【００４８】
一方、ヘッドマウントディスプレイ１は、判定の結果、第１アプリケーション８０を実行中である場合（ステップＳ１０１，Ｙｅｓ）、非常事態に関する情報を受信したかを判定する（ステップＳ１０２）。
【００４９】
ヘッドマウントディスプレイ１は、判定の結果、非常事態に関する情報を受信していない場合（ステップＳ１０２，Ｎｏ）、上記ステップＳ１０１に戻る。
【００５０】
一方、ヘッドマウントディスプレイ１は、判定の結果、非常事態に関する情報を受信した場合（ステップＳ１０２，Ｙｅｓ）、実行中の第１アプリケーション８０を強制終了し（ステップＳ１０３）、第２アプリケーション８１を実行する（ステップＳ１０４）。
【００５１】
続いて、ヘッドマウントディスプレイ１は、実行中の第１アプリケーション８０を強制終了後、表示部２ａ及び表示部２ｂに情報を表示させない無表示状態を一定時間経過したかを判定する（ステップＳ１０５）。
【００５２】
ヘッドマンとディスプレイ１は、判定の結果、無表示状態を一定時間経過していない場合（ステップＳ１０５，Ｎｏ）、ステップＳ１０５の判定を繰り返す。
【００５３】
一方、ヘッドマウントディスプレイ１は、判定の結果、無表示状態を一定時間経過した場合（ステップＳ１０５，Ｙｅｓ）、避難用の情報を表示部２ａ及び表示部２ｂに表示させる（ステップＳ１０６）。
【００５４】
続いて、ヘッドマウントディスプレイ１は、カートリッジ１０００が備える発光部１００１の点灯を開始して（ステップＳ１０７）、図９に示す処理を終了する。
【００５５】
上述の実施形態では、ヘッドマウントディスプレイ１は、非常事態に関する情報を受信すると、実行中の第１アプケーション８０を強制終了して第２アプリケーション８１を実行し、表示部２ａ及び表示部２ｂに情報を表示させない無表示状態を経由して、避難用の情報を含む画面ＳＣ２を表示部２ａ及び表示部２ｂに表示させる。このため、ヘッドマウントディスプレイ１の利用者は、カートリッジ１０００を接続したヘッドマウントディスプレイを介して種々のサービスの提供を受けている状態であっても非常事態の発生を迅速に察知でき、カートリッジ１０００を提供する施設利用時のヘッドマウントディスプレイ１の使い勝手を向上できる。
【００５６】
上記の実施形態では、ヘッドマウントディスプレイ１が、非常事態に関する情報を受信すると、実行中の第１アプケーション８０を強制終了して第２アプリケーション８１を実行し、表示部２ａ及び表示部２ｂに情報を表示させない無表示状態を経由して、避難用の情報を含む画面ＳＣ２を表示部２ａ及び表示部２ｂに表示させる例を説明した。しかしながら、この例に限定されるものではなく、無表示状態を経由する代わりに、所定画面の表示を経由させてもよい。以下では、この場合のヘッドマウントディスプレイ１を説明する。
【００５７】
他の実施形態に係るヘッドマウントディスプレイ１は、上記実施形態と基本的には同様の構成であるが、以下に説明する点が異なる。
【００５８】
第２アプリケーション８１は、第１アプリケーション８０に関連しない所定画面を表示部２ａ及び表示部２ｂに表示させる状態を経由して、避難用の情報を表示部２ａ及び表示部２ｂに表示させる機能を提供する。所定画面は、例えば、ヘッドマウントディスプレイ１の起動時に表示されるスタート画面の他、ヘッドマウントディスプレイ１の利用者が設定した任意の画面であってもよい。
【００５９】
制御部９は、第２アプリケーション８１を実行することにより、第１アプリケーション８０に関連しない所定画面を表示部２ａ及び表示部２ｂに表示させる状態を経由して、避難用の情報を表示部２ａ及び表示部２ｂに表示させる処理を実行する。
【００６０】
図１０を用いて、制御部９により実行される処理の例を説明する。図１０は、他の実施形態に係る制御部の処理の例を示す図である。以下に説明する図１０に示す処理の例のうち、ステップＳ１３の処理が、上述した図９に示す処理と異なる。
【００６１】
図１０に示すように、制御部９は、第１アプリケーション８０を実行することにより、カートリッジ１０００から取得したアトラクションのデータに基づいて、アトラクションに対応するゲーム画面ＳＣ１を表示部２ａ及び表示部２ｂに表示させる（ステップＳ１１）。
【００６２】
制御部９は、第１アプリケーション８０の実行中、すなわち、アトラクションに対応するゲーム進行中に、非常事態に関する情報を受信すると、実行中の第１アプケーション８０を強制終了する旨のメッセージ画像Ｇ６を、ゲーム画面ＳＣ１に表示し（ステップＳ１２）、実行中の第１アプケーション８０を強制終了する。
【００６３】
続いて、制御部９は、第２アプリケーション８１を実行し、表示部２ａ及び表示部２ｂに表示中のゲーム画面ＳＣ１を消去し、画像ｈ１を含むスタート画面ＳＣ３を表示部２ａ及び表示部２ｂに表示させた状態を経由して（ステップＳ１３）、避難用の情報を含む画面ＳＣ２を表示部２ａ及び表示部２ｂに表示させる（ステップＳ１４）。
【００６４】
上記ステップＳ３及び上記ステップＳ４の処理において、制御部９は、スタート画面ＳＣ３を表示部２ａ及び表示部２ｂに表示させた状態を一定時間継続させた後、ステップＳ４に示す画面ＳＣ２を表示部２ａ及び表示部２ｂに表示させる。スタート画面ＳＣ３の表示継続時間は、利用者がアトラクションに集中しているヘッドマウントディスプレイ１の利用者の意識を、非常事態が発生した現実の世界に呼び戻すために十分と考えらえる時間であれば、任意の時間でよい。
【００６５】
図１１を用いて、他の実施形態に係るヘッドマウントディスプレイ１による処理の流れを説明する。図１１は、他の実施形態に係るヘッドマウントディスプレイ１による処理の例を示すフローチャートである。
【００６６】
図１１に示すように、ヘッドマウントディスプレイ１は、第１アプリケーション８０を実行中であるかを判定する（ステップＳ２０１）。
【００６７】
ヘッドマウントディスプレイ１は、判定の結果、第１アプリケーション８０を実行中ではない場合（ステップＳ２０１，Ｎｏ）、図１１に示す処理を終了する。
【００６８】
一方、ヘッドマウントディスプレイ１は、判定の結果、第１アプリケーション８０を実行中である場合（ステップＳ２０１，Ｙｅｓ）、非常事態に関する情報を受信したかを判定する（ステップＳ２０２）。
【００６９】
ヘッドマウントディスプレイ１は、判定の結果、非常事態に関する情報を受信していない場合（ステップＳ２０２，Ｎｏ）、上記ステップＳ２０１に戻る。
【００７０】
一方、ヘッドマウントディスプレイ１は、判定の結果、非常事態に関する情報を受信した場合（ステップＳ２０２，Ｙｅｓ）、実行中の第１アプリケーション８０を強制終了し（ステップＳ２０３）、第２アプリケーション８１を実行する（ステップＳ２０４）。
【００７１】
続いて、ヘッドマウントディスプレイ１は、スタート画面を表示部２ａ及び表示部２ｂに表示させる（ステップＳ２０５）。
【００７２】
スタート画面の表示後、ヘッドマウントディスプレイ１は、スタート画面の表示から一定時間経過したかを判定する（ステップＳ２０６）。
【００７３】
ヘッドマンとディスプレイ１は、判定の結果、スタート画面の表示から一定時間経過していない場合（ステップＳ２０６，Ｎｏ）、ステップＳ２０６の判定を繰り返す。
【００７４】
一方、ヘッドマンとディスプレイ１は、判定の結果、スタート画面の表示から一定時間経過した場合（ステップＳ２０６，Ｙｅｓ）、避難用の情報を表示部２ａ及び表示部２ｂに表示させる（ステップＳ２０７）。
【００７５】
続いて、ヘッドマウントディスプレイ１は、カートリッジ１０００が備える発光部１００１の点灯を開始して（ステップＳ２０８）、図１１に示す処理を終了する。
【００７６】
上述の実施形態では、ヘッドマウントディスプレイ１は、非常事態に関する情報を受信すると、実行中の第１アプケーション８０を強制終了して第２アプリケーション８１を実行し、スタート画面ＳＣ３を表示部２ａ及び表示部２ｂに表示させた状態を経由して、避難用の情報を含む画面ＳＣ２を表示部２ａ及び表示部２ｂに表示させる。このため、ヘッドマウントディスプレイ１の利用者は、カートリッジ１０００を接続したヘッドマウントディスプレイを介して種々のサービスの提供を受けている状態であっても非常事態の発生を迅速に察知でき、カートリッジ１０００を提供する施設利用時のヘッドマウントディスプレイ１の使い勝手を向上できる。
【００７７】
上記の実施形態において、ヘッドマンとディスプレイ１は、非常事態に関する情報を受信すると、実行中の第１アプケーション８０を強制終了して第２アプリケーション８１を実行するに際し、ヘッドマウントディスプレイ１を取り外さないように利用者に注意喚起するための報知を実行してもよい。ヘッドマウントディスプレイ１を取り外さないように利用者に注意喚起するための報知は、音声及び画像のどちらで行ってもよい。
【００７８】
上記の実施形態では、ヘッドマウントディスプレイ１の制御部９が、第１アプリケーション８０及び第２のアプリケーション８１をそれぞれ実行することにより、各種処理を実現する例を説明したが、この例に限定されるものではない。例えば、第１アプリケーション８０及び第２のアプリケーション８１は、それぞれのプログラムが提供する機能を提供可能な１つのプログラムとして統合されていてもよい。この場合、制御部９は、第１アプリケーション８０及び第２のアプリケーション８１のそれぞれが提供する機能を提供可能な１つのプログラムを実行することにより、上記の実施形態に係る各種処理を実現できる。
【００７９】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００８０】
１  ヘッドマウントディスプレイ
２ａ，２ｂ  表示部
３，４  撮像部
５  検出部
６  操作部
７  通信部
８  記憶部
９  制御部
１０  インタフェース部
１０００  カートリッジ
１００１  発光部
【図１】
2017181584.tif 000003
【図２】
2017181584.tif 000004
【図３】
2017181584.tif 000005
【図４】
2017181584.tif 000006
【図５】
2017181584.tif 000007
【図６】
2017181584.tif 000008
【図７】
2017181584.tif 000009
【図８】
2017181584.tif 000010
【図９】
2017181584.tif 000011
【図１０】
2017181584.tif 000012
【図１１】
2017181584.tif 000013